(57)【要約】【課題】占有チャンネルを必要とする無線伝送システムにおいて、複数の伝送系統間の干渉を考慮し、伝送チャネルの割当を効率的に行うことを可能にすること。【解決手段】複数の送信装置１１〜１４と複数の受信装置２１〜２４の間で信号を無線伝送する無線伝送システムであって、各送信装置は、信号の変調と伝送チャンネルへの周波数変換を行う第１の変復調選局部１１３を有し、各受信装置は、各送信装置から送信された信号の周波数変換と復調を行うとともに、受信した信号の受信感度を検出する第２の変復調選局部２１３を有し、各受信装置を介して無線伝送を制御する管理装置３を備える。管理装置３は、複数の送信装置と複数の受信装置の各組み合わせにおける受信感度を各受信装置より取得し、受信感度情報として記憶部３１に記憶し、該記憶した受信感度情報を参照して、無線伝送を開始しようとする受信装置を選択して、選択された受信装置にて使用する伝送チャンネルを決定する制御部３３を有する。【選択図】図１
2014150446.tif 000002
【特許請求の範囲】
【請求項１】
複数の送信装置と複数の受信装置の間で信号を無線伝送する無線伝送システムであって、
前記各送信装置は、信号の変調と伝送チャンネルへの周波数変換を行う第１の変復調選局部を有し、
前記各受信装置は、前記各送信装置から送信された信号の周波数変換と復調を行うとともに、受信した信号の受信感度を検出する第２の変復調選局部を有し、
前記各受信装置を介して前記無線伝送を制御する管理装置を備え、
前記管理装置は、前記複数の送信装置と前記複数の受信装置の各組み合わせにおける受信感度を前記各受信装置より取得し、受信感度情報として記憶部に記憶し、該記憶した受信感度情報を参照して、無線伝送を開始しようとする受信装置を選択して、選択された特定の受信装置にて使用する伝送チャンネルを決定する制御部を有することを特徴とする無線伝送システム。
【請求項２】
請求項１に記載の無線伝送システムであって、
前記管理装置の制御部は、前記受信感度情報を参照し、前記選択された特定の受信装置における受信感度が検知できなかった送信装置を前記複数の送信装置から検索し、検索した送信装置が送信中であっても該送信装置で使用中の伝送チャンネルを、前記選択された特定の受信装置にて使用する伝送チャンネルとして割り当てることを特徴とする無線伝送システム。
【請求項３】
請求項１に記載の無線伝送システムであって、
前記管理装置の制御部は、前記各受信装置に対し、前記各送信装置の固有ＩＤと伝送に用いる伝送チャンネル情報を通知し、
前記各受信装置は、受け取った固有ＩＤと伝送チャンネル情報に基づいて該当する送信装置と接続し、受信した信号から受信感度を検出することを特徴とする無線伝送システム。
【請求項４】
請求項１に記載の無線伝送システムであって、
前記各受信装置は、信号受信のために前記第２の変復調選局部に電源供給を行う電源部を有し、
前記管理装置の制御部は、前記各受信装置にて受信感度を検出するために、前記各受信装置に対し電源部からの電源供給を開始させ、前記各受信装置から受信感度を取得した後、前記選択された特定の受信装置以外の受信装置に対し電源部からの電源供給を停止させることを特徴とする無線伝送システム。
【請求項５】
請求項１に記載の無線伝送システムであって、
前記選択された特定の受信装置が既に選択された特定の送信装置と無線伝送の接続がなされているとき、
前記管理装置の制御部は、前記特定の送信装置と前記複数の受信装置の間の受信感度を前記各受信装置より再度取得し、該取得した受信感度情報および前記記憶部に記憶している過去の受信感度情報を参照して、前記特定の送信装置と接続する新たな受信装置を決定することを特徴とする無線伝送システム。
【請求項６】
請求項５に記載の無線伝送システムであって、
前記管理装置の制御部は、前記特定の送信装置と接続する新たな受信装置として、再度取得した受信感度が最大となる受信装置、あるいは再度取得した受信感度を過去の受信感度と比較して最も増大した受信装置を選択することを特徴とする無線伝送システム。
【請求項７】
請求項５に記載の無線伝送システムであって、
前記管理装置の制御部は、前記決定した新たな受信装置が前記選択された特定の受信装置と異なるとき、前記選択された特定の受信装置に対し前記特定の送信装置との接続を切断させるとともに、前記決定した新たな受信装置に対して、前記特定の送信装置の固有ＩＤと伝送チャンネル情報を通知して前記特定の送信装置と接続させることを特徴とする無線伝送システム。
【請求項８】
請求項５に記載の無線伝送システムであって、
前記管理装置の制御部は、前記送信装置と前記複数の受信装置の間の受信感度を前記各受信装置より再度取得し、該取得した受信感度情報を前記記憶部に記憶している過去の受信感度情報と比較し、該取得した受信感度の過去の受信感度からの低下量が設定された閾値より大きい場合に、前記送信装置と接続する新たな受信装置を決定することを特徴とする無線伝送システム。
【発明の詳細な説明】
【技術分野】
【０００１】
本発明は、送信装置と受信装置の間で映像信号等の大容量データを無線伝送する無線伝送システムに関する。
【背景技術】
【０００２】
近年、無線通信技術の発展に伴い、多くの無線通信システムが提案されている。その一例として、伝送速度を大幅に向上させたり、映像信号の圧縮方法を工夫することによって、従来は困難であった高精細な映像信号を無線伝送するシステムも開発されている。その一例がＷＨＤＩ方式（Wireless Home Digital Interface、アミモン社の商標）であり、特許文献１および特許文献２にその内容が示されている。この伝送方式は無線ＬＡＮと異なり、映像伝送中のチャンネルを占有することで、高画質の映像を低遅延で伝送することが可能とされている。
【０００３】
一方、携帯電話のように多数の端末が基地局の下で通信を行うシステムでは、基地局の端末収容数を増やすために利用周波数の最適化を図る必要がある。特許文献３には、端末局を収容する基地局からなる複数の無線システムと情報管理サーバが接続されたネットワークにおいて、各基地局の無線通信に関する情報をデータベース化し、情報管理サーバが各基地局で使用すべき周波数を決定して通知することにより、利用周波数の最適化を図る技術が開示されている。
【先行技術文献】
【特許文献】
【０００４】
【特許文献１】特表２００７−５０７１４７号公報
【特許文献２】特表２００９−５１３０６４号公報
【特許文献３】特開２００８−２１１５８３号公報
【発明の概要】
【発明が解決しようとする課題】
【０００５】
特許文献１や特許文献２の技術では、ＨＤＴＶの１．５Ｇｂｐｓ以上にも上る非圧縮データを伝送するために、占有して伝送に使用できるチャンネルを確保する必要がある。免許不要な帯域を用いることが家庭やオフィスのような一般的な使用には必須であるが、免許不要で使用可能な帯域およびチャンネル数は限られており、無線ＬＡＮや映像無線伝送システムの普及や送受信システムの多数一括導入によって、チャンネルの使用率が上がり占有可能なチャンネルを見つけることが困難になる。すなわち、ＷＨＤＩ方式の普及により使用できるチャンネル数が不足することが予想される。
【０００６】
また、特許文献３の技術は携帯電話システムにおける利用周波数の最適化を目的としているが、運用中の基地局位置情報および無線通信に関する情報を用いて、運用を開始しようとする基地局のチャンネルを選択している。また、携帯電話システムの基地局は、端末との無線通信状態が確保され、かつ他の基地局と不要な干渉が低減されるようにカバーエリアを計算し設置される。それに対して、例えばオフィスや学校等で無線伝送により映像表示を行う場合は、無線伝送のカバーエリアを計算してそれに従って受信装置や送信装置、表示装置等を設置するわけではなく、あくまで映像表示を行いたい場所にそれらが設置される。このため無線伝送のカバーエリアは複数の装置間で生じる干渉等が考慮されることがなく、多数の無線装置間で干渉が発生する場合が考えられる。従って、特許文献３で示された技術のように、ある時点で運用中の無線機器等から得られる情報のみを用いてチャンネルを選択すると、運用する無線機器等の数が増加していった場合に、使用チャンネルを適切に選択できるとは限らない。
【０００７】
また、特許文献３の技術は基地局の設置場所情報を用いているため、設置位置取得手段を持たない送受信システムに適用することは困難である。
【０００８】
本発明は、上記課題を鑑み、占有チャンネルを必要とする無線伝送システムにおいて、複数の伝送系統間の干渉を考慮し、伝送チャンネルの割当を効率的に行うことを可能にすることを目的とする。
【課題を解決するための手段】
【０００９】
上記課題を解決するために、例えば特許請求の範囲に記載の構成を採用する。
本願は上記課題を解決する手段を複数含んでいるが、その一例を挙げるならば、「複数の送信装置と複数の受信装置の間で信号を無線伝送する無線伝送システムであって、前記各送信装置は、信号の変調と伝送チャンネルへの周波数変換を行う第１の変復調選局部を有し、前記各受信装置は、前記各送信装置から送信された信号の周波数変換と復調を行うとともに、受信した信号の受信感度を検出する第２の変復調選局部を有し、前記各受信装置を介して前記無線伝送を制御する管理装置を備え、前記管理装置は、前記複数の送信装置と前記複数の受信装置の各組み合わせにおける受信感度を前記各受信装置より取得し、受信感度情報として記憶部に記憶し、該記憶した受信感度情報を参照して、無線伝送を開始しようとする受信装置を選択して、選択された受信装置にて使用する伝送チャンネルを決定する制御部を有する」ことを特徴とする。
【発明の効果】
【００１０】
本発明によれば、占有チャンネルを必要とする無線伝送システムにおいて、複数の伝送系統間の干渉を考慮し、伝送チャンネルの割当を効率的に行うことが可能になる。
【図面の簡単な説明】
【００１１】
【図１】実施例１に係る無線伝送システムの構成図である。
【図２】送信装置と受信装置の内部構成図である。
【図３】複数の送信装置と受信装置の設置例を示す図である。
【図４】受信感度情報の取得工程を示すフローチャートである。
【図５】伝送チャンネルの決定工程を示すフローチャートである。
【図６】記憶部３１に記憶した受信感度情報の一例を示す。
【図７】受信感度情報と送受信状態の第１の例を示す図である。
【図８】受信感度情報と送受信状態の第２の例を示す図である。
【図９】実施例２に係る接続切り替え工程のフローチャートである。
【発明を実施するための形態】
【００１２】
以下、図面を参照しながら本発明の実施形態を説明する。各図面の記載において、同一の部分には同一の符号を付している。
【実施例１】
【００１３】
図１は、実施例１に係る無線伝送システムの構成図である。無線伝送システムは、複数の送信装置１１，１２，１３，１４、これらに対応する複数の受信装置２１，２２，２３，２４、および管理装置３を備える。ここでは、受信装置を映像信号を表示する機器と想定して説明しているが、伝送する信号は映像信号に限られるものではなく、音声信号等であっても良い。
【００１４】
各送信装置１１〜１４から対応する各受信装置２１〜２４に対して、伝送信号として、それぞれ映像信号の無線伝送が可能となっている。この伝送方式は前記したように占有チャンネルを使用するＷＨＤＩ方式とする。各受信装置２１〜２４は管理装置３と接続され、互いに通信が可能である。この通信方式は汎用の無線ＬＡＮやイーサネット（登録商標）を用いるが、特に限定するものではない。管理装置３は、記憶部３１、通信部３２および制御部３３から構成され、各送信装置１１〜１４と各受信装置２１〜２４間の伝送動作を制御する。以下の説明では送信装置と受信装置が各４台の場合とするが、装置の数はこれに限定されず任意である。また、管理装置３は各受信装置２１〜２４を介して伝送動作を制御する構成としたが、管理装置３を各送信装置１１〜１４に接続し、送信装置を介して制御する構成も可能である。
【００１５】
図２は、送信装置と受信装置の内部構成図である。ここでは送信装置１１と受信装置２１の内部構成について示すが、他の送信装置１２〜１４と受信装置２２〜２４についても同様の構成である。送信装置１１は、映像信号源１１１、伝送信号処理部１１２、変復調選局部１１３、アンテナ１１４、制御部１１５および電源部１１７とで構成される。受信装置２１は、映像表示部２１１、伝送信号処理部２１２、変復調選局部２１３、アンテナ２１４、制御部２１５、通信部２１６および電源部２１７とで構成される。送信装置１１から受信装置２１へ映像信号が無線伝送され、また両者の間で制御信号が無線伝送される。
【００１６】
まず送信装置１１の動作について説明する。映像信号源１１１は、例えばチューナーや記録媒体やカメラ等であって、何らかの映像信号を出力する。伝送信号処理部１１２は、映像信号をＷＨＤＩ方式で無線伝送するために、いわゆるＭＡＣ（Media Access Control）およびＢＢ（Baseband）層の信号処理を施す。変復調選局部１１３は、信号処理された映像信号に対して無線伝送のための変調処理を行い、さらに伝送に使用するチャンネルの周波数帯に周波数変換を行って変調信号を生成する。変調された映像信号は、アンテナ１１４から受信装置２１に対し送信（伝送）される。
【００１７】
また、アンテナ１１４は、受信装置２１から送信される変調された制御信号を受信する。変復調選局部１１３は、受信した制御信号の伝送チャンネルを選局し、制御信号の復調処理を行う。伝送信号処理部１１２は、復調された制御信号に信号処理を施すことにより、受信装置２１が送信した制御信号を抽出し、制御部１１５に送る。
【００１８】
制御部１１５は、受信装置２１から送信された制御信号を取得し、映像信号源１１１、伝送信号処理部１１２、変復調選局部１１３の制御を行う。映像信号の送信を開始するに当たっては、伝送信号処理部１１２と変復調選局部１１３に対し、各チャンネルの状態を検出し、受信装置２１からの接続要求を検知するよう制御する。受信装置２１から接続要求を受けた場合は、そのチャンネルを映像信号の伝送チャンネルとして用いる。また、制御部１１５は固有のＩＤおよび認証用キーを保持しており、受信装置２１に映像信号を送信するときの認証処理に利用する。
【００１９】
このように送信装置１１は、映像信号に所定の処理を加え所定のチャンネルを用いて無線伝送するとともに、受信装置２１から無線伝送された制御信号を受信する機能を有する。そして本実施例においては、高画質な映像を伝送するために、伝送する信号は１つのチャンネルを占有するものとする。
【００２０】
次に受信装置２１の動作について説明する。アンテナ２１４は、送信装置１１から送信（伝送）される変調された映像信号を受信する。変復調選局部２１３は、送信に使用されているチャンネルの周波数から復調処理を行う周波数に周波数変換を行い、さらに映像信号の復調処理を行う。伝送信号処理部２１２は、ＭＡＣおよびＢＢ層の信号処理を施す。処理された映像信号は、映像表示部２１１にて表示される。
【００２１】
また受信装置２１は、送信装置１１から送信された制御信号も受信し、制御部２１５にて取得する。一方制御部２１５は、送信装置１１に送信する制御信号を生成し、伝送信号処理部２１２は伝送用信号処理を行う。変復調選局部２１３は、制御信号の変調とチャンネル周波数への周波数変換を行い、アンテナ２１４から送信する。電源部２１７は、変復調選局部２１３、伝送信号処理部２１２および映像表示部２１１に対し、動作するための電源を供給する。
【００２２】
また制御部２１５は、変復調選局部２１３、伝送信号処理部２１２および映像表示部２１１、電源部２１７の制御を行う。すなわち、変復調選局部２１３、伝送信号処理部２１２および映像表示部２１１を動作させる場合は、電源部２１７に対し電源供給を指示する。制御部２１５は固有のＩＤおよび認証用キーを保持しており、送信装置１１から映像信号を受信するときの認証処理に利用する。そして、変復調選局部２１３により受信しているチャンネルの信号状態を示す受信感度情報を取得する。さらに制御部２１５は、通信部２１６を通じて管理装置３と通信を行う。
【００２３】
図３は、複数の送信装置と受信装置の設置例を示す図である。ここでは建物の見取り図を示し、複数の部屋４１、４２，４３および４４に、それぞれ、送信装置１１と受信装置１２、送信装置１２と受信装置２２、送信装置１３と受信装置２３、および送信装置１４と受信装置２４を設置している。また、管理装置３は他の部屋（管理室）４５に設置しているが、上記いずれかの部屋４１〜４４に設置しても良い。この例では、例えば送信装置にはパソコン、受信装置には液晶プロジェクタなどを用いて、複数の会議室でそれぞれ映像を表示する場合などを想定している。
【００２４】
伝送方式にはＷＨＤＩ方式を採用しており、各送信装置から送信される映像信号の到達範囲は次のように制限されるものとする。送信装置１１が出力する送信信号が到達する範囲をエリア５１で示す。この場合の送信信号は、隣室の部屋４２および隣々室の部屋４３までは到達するが、部屋４４には到達しない。また、送信装置１４が出力する送信信号が到達する範囲をエリア５４で示す。この場合の送信信号は、隣室の部屋４３および隣々室の部屋４２までは到達するが、部屋４１には到達しない。一方、送信装置１２および送信装置１３の出力する送信信号が到達する範囲をエリア５２，５３で示す。この場合の送信信号は、全ての部屋４１〜４４に到達する。なお、管理装置３と各受信装置２１〜２４の間は別方式でネットワーク接続され、いずれの間でも通信可能となっている。
【００２５】
初期状態において、管理装置３は常時起動しており、通信部３２を通じて各受信装置と通信を行うことが可能である。一方、各送信装置は動作していないものとする。各受信装置は、制御部２１５および通信部２１６は動作しているが、変復調選局部２１３、伝送信号処理部２１２および映像表示部２１１は電源部２１７から電源供給されず、動作していない。各送信装置と各受信装置は、映像信号を伝送し表示する場合に使用者により起動される。
【００２６】
次に、本実施例の無線伝送システムの動作について説明する。本実施例では、各送信装置／受信装置間の伝送で使用するチャンネルを効率的に割り当てるものであるが、そのために受信感度情報を取得する。つまり、各送信装置から送信された信号が、各受信装置でどれだけの強度で受信されるかを示す受信感度情報を取得する前工程と、取得した受信感度情報を参照して、ある送信装置と受信装置の間で送信するときに使用する伝送チャンネルを決定する後工程からなる。以下、２つの工程に分けて説明する。
【００２７】
図４は、受信感度情報の取得工程を示すフローチャートである。ここでは、送信装置１１からの送信信号に対する各受信装置での受信感度情報を取得する例を示す。なお、受信装置２４は省略してあるが、他の受信装置２２、２３と同様に動作する。
使用者が送信装置１１と受信装置２１を起動させると、以下の処理が順次実行される。
【００２８】
ステップＳ４０１において、受信装置２１の制御部２１５は、電源部２１７からの電源供給を開始させ、変復調選局部２１３により各チャンネルの現在の信号レベル情報を取得し、送信信号が存在しないチャンネルを選択する。
【００２９】
ステップＳ４０２において、受信装置２１は伝送信号処理部２１２、変復調選局部２１３およびアンテナ２１４を用いて、送信装置１１に対し選択したチャンネルによる接続要求を送る。ステップＳ４０３において、送信装置１１はアンテナ１１４、変復調選局部１１３および伝送信号処理部１１２にて各チャンネルをサーチしている。受信装置２１からの接続要求を検知すると、そのチャンネルを用いて受信装置２１に接続要求承認を返す。
【００３０】
ステップＳ４０４およびＳ４０５において、送信装置１１の制御部１１５および受信装置２１の制御部２１５は、それぞれの装置が保持している固有ＩＤおよび認証用キーを交換し、認証処理を行う。以下、認証処理が成功したものとする。
【００３１】
ステップＳ４０６において、送信装置１１は、映像信号源１１１の出力する映像信号を伝送信号処理部１１２および変復調選局部１１３にて信号処理および変調・周波数変換処理を行う。そして、アンテナ１１４から受信装置２１に対し映像信号の送信を開始する。
【００３２】
ステップＳ４０７において、受信装置２１は、アンテナ２１４、変復調選局部２１３および伝送信号処理部２１２にて映像信号を受信し、周波数変換・復調処理と信号処理を行い、映像表示部２１１に映像信号を表示する。また制御部２１５は、変復調選局部２１３により受信しているチャンネルの信号状態を示す受信感度情報を取得する。これにより、送信装置１１と受信装置２１の接続が確立する。
【００３３】
ステップＳ４０８において、受信装置２１は管理装置３に対して接続確立通知を送る。具体的には、受信装置２１の制御部２１５から管理装置３の制御部３３へ、それぞれの通信部２１６、３２を経由して通知を行う。接続確立通知には、送信装置１１および受信装置２１の固有ＩＤと、使用チャンネルおよび受信感度情報が含まれる。
【００３４】
ステップＳ４０９において、管理装置３は各受信装置２２、２３（および２４、以下同様）に対し、起動要求を送る。具体的には、管理装置３の制御部３３から各受信装置２２、２３の制御部２１５へ、それぞれの通信部３２、２１６を経由して通知を行う。以下、管理装置３と受信装置２２、２３の間の通信は同様に行われる。ステップＳ４１０において、受信装置２２、２３は各電源部２１７の電源供給を開始し、受信動作が可能な状態となる。その際、受信装置２２、２３から管理装置３へ起動完了通知を送っても良い。
【００３５】
ステップＳ４１１において、管理装置３は受信装置２２、２３に対し、送信装置１１が送信している映像信号の受信要求を送る。この要求には、ステップＳ４０８で受け取った送信装置１１の固有ＩＤと使用チャンネル情報を含む。ステップＳ４１２において、受信装置２２、２３は、受信要求の際受け取った送信装置１１の固有ＩＤおよび使用チャンネルを用いて受信動作を行う。そして制御部２１５は変復調選局部２１３により、受信しているチャンネルの信号状態を示す受信感度情報を取得する。なお、この状態では送信装置１１の認証キー情報を取得していないため、認証処理は行わず映像信号を表示することはない。
【００３６】
ステップＳ４１３において、受信装置２２、２３は管理装置３にステップＳ４１２で取得した受信感度情報を送る。ステップＳ４１４において、管理装置３は各受信装置２１〜２４から受け取ったそれぞれの受信感度情報を、記憶部３１に記憶する（後述図６参照）。
【００３７】
ステップＳ４１５において、管理装置３は受信装置２２、２３に対し停止要求を送る。ステップＳ４１６において、受信装置２２、２３は電源部２１７からの電源供給を停止し、受信動作を停止する。なお、制御部２１５と通信部２１６は動作している。
【００３８】
図６は、ステップＳ４１４にて記憶部３１に記憶した受信感度情報６００の一例を示す。この例では、受信状態を信号レベルで示しており、受信不可能レベルを０、受信可能な場合のレベルを１（最小）〜１０（最大）で示している。例えば、送信装置１１から送信した信号を受信装置２１で受信する場合の受信感度はレベル９、受信装置２２で受信する場合はレベル６、受信装置２３で受信する場合はレベル２となる。また受信装置２４で受信する場合はレベル０であり、送信装置１１からの送信信号は受信装置２４には到達していないことを示す。当然ながらこれらの受信感度（レベル）は、使用する伝送方式（この例ではＷＨＤＩ方式）とともに、送信装置から受信装置までの距離や、設置環境に依存するものである。
【００３９】
上記工程によれば、使用者が送信装置１１および受信装置２１を起動させた場合、管理装置３は他の受信装置２２、２３および２４を起動させ、送信装置１１の固有ＩＤと使用チャンネルを用いて送信装置１１からの送信信号を受信させる。そして各受信装置で取得した受信感度（受信レベル）を管理装置３の記憶部３１に記憶することにより、送信装置１１と各受信装置間の伝送状態を把握できる。同様にして、使用者が他の送信装置１２、１３、１４および他の受信装置２２、２３、２４を起動させた場合についても、各送信装置１２、１３、１４と各受信装置２１〜２４間の伝送状態を把握できる。このようにして取得した受信感度情報（伝送状態）は、その後任意の送信装置と受信装置間で新たに送信を行う時、これに使用するチャンネルを決定するために利用される。
【００４０】
図７と図８は、各送信装置と各受信装置間の受信感度情報と送受信状態の２つの例を示す図である。各テーブル７００，８００には、送信装置１１〜１４と受信装置２１〜２４の各組合せに対する受信感度情報が記述されているが、これらの受信感度情報は同一である。さらに各テーブルには、各送信装置１１〜１４と受信装置２１〜２４の現在の送受信状態（動作中／停止中）と使用チャンネルが記述されているが、テーブル７００と８００とでは、各装置の現在の送受信状態が異なる場合を示している。これらのテーブル７００、８００は、記憶部３１に記憶されており、新たに使用するチャンネルを決定するために利用される。
【００４１】
受信感度情報の取得動作は、送信装置および受信装置が使用者により起動される毎に毎回行う必要はない。なぜなら、送信装置および受信装置の使用環境（設置位置）が固定されていれば伝送状態は変化しないので、装置設置後最初の起動時のみ受信感度情報を取得し、２回目以降の起動時には取得動作を省略しても良い。
【００４２】
なお、消費電力の観点から言えば、各受信装置は通常起動されておらず、使用者が例えば送信装置１１と受信装置２１を起動させた場合にのみ、管理装置３が他の受信装置２２〜２４を起動させるようにしている。そのため、全ての送信装置と全ての受信装置間の受信感度情報を把握するために消費する電力を、最小限に抑えることができる。
【００４３】
図５は、伝送チャンネルの決定工程を示すフローチャートである。なお、図５の工程は図４の工程に引き続き、使用者が例えば送信装置１４と受信装置２４を起動させ、これらの間で新たな送信を開始させるものとする。新たな送信のため、図７または図８に示した受信感度情報と送受信状態を利用して、使用する伝送チャンネルを決定する。
【００４４】
ステップＳ５０１において、使用者が送信装置１４および受信装置２４を起動させる。ステップＳ５０２において、受信装置２４は管理装置３に対し使用する伝送チャンネルの割り当てを問い合わせる。
【００４５】
ステップＳ５０３において、管理装置３は、記憶部３１に記憶されている受信感度情報を参照し受信装置２４の受信感度（受信レベル）をチェックする。ステップＳ５０４において、受信装置２４の受信レベルが０（ゼロ）、すなわち受信不可能となる送信装置Ｘが存在するかどうかを判定する。そのような送信装置Ｘが存在する場合はステップＳ５０５に、存在しなければステップＳ５０７に進む。
【００４６】
ここでは、図７のテーブル７００を参照したとする。テーブル７００において、受信装置２４の受信レベルが０となる送信装置Ｘとして送信装置１１が存在する。よってこの場合は、ステップＳ５０５に進む。またテーブル７００によれば、送信装置１４から受信装置２１に対する受信レベルも０であり、相互に受信不可能、すなわち映像伝送に関し干渉しないことが分かる。
【００４７】
ステップＳ５０５において、ステップＳ５０４で判定した送信装置Ｘが動作中かどうかを判定する。送信装置Ｘが動作中であればステップＳ５０６へ進み、停止していればステップＳ５０７に進む。図７のテーブル７００を参照すると、送信装置１１は受信装置２１に対しチャンネル１を用いて映像信号を送信中であり、他の送信装置１２、１３および受信装置２２、２３は停止中である。よってこの場合は、ステップＳ５０６に進む。
【００４８】
ステップＳ５０６において、送信装置Ｘが使用中のチャンネルを受信装置２４が使用するチャンネルとして割り当てる。図７の場合では、送信装置１１がＣＨ１を使用中であるため、受信装置２４の使用すべきチャンネルとしてＣＨ１を割り当てる。
【００４９】
ステップＳ５０８において、管理装置３は受信装置２４に割り当てたチャンネルを通知する。図７の場合では、ＣＨ１を使用するように通知する。ステップＳ５０９において、受信装置２４は送信装置１４に対し接続要求を送る。
【００５０】
ステップＳ５１０において、送信装置１４は通知されたチャンネルを用いて受信装置２４に送信を開始する。ステップＳ５１１において、受信装置２４は送信装置１４との接続を確立し、映像信号の受信を開始する。
【００５１】
上記の場合、送信装置１１で使用中のＣＨ１を、送信装置１４から受信装置２４への送信でも使用することになるが、送信装置１１から受信装置２４への受信レベル＝０（ゼロ）であり２つの送信信号が干渉することはない。また、同じＣＨ１を受信装置２４でも使用することで、占有チャンネルを必要とする伝送システムにおいて、使用するチャンネル数を節約して効率的なチャンネル割り当てが可能になる。
【００５２】
一方、上記のステップＳ５０３で、管理装置３が、記憶部３１に記憶されている図８のテーブル８００を参照した場合について説明する。
【００５３】
ステップＳ５０４の判定では、受信装置２４の受信レベルが０となる送信装置Ｘとして送信装置１１が存在するので、ステップＳ５０５に進む。ステップＳ５０５の判定では、図８のテーブル８００によれば送信装置１１が停止中であるので、ステップＳ５０７に進む。
【００５４】
ステップＳ５０７においては、現在使用していない空きチャンネルを割り当てる。図８のテーブル８００で送受信状態を参照すると、送信装置１２はＣＨ１を用いて受信装置２２へ、送信措置１３はＣＨ２を用いて受信装置２３へ送信中である。この場合、送信装置１４と受信装置２４間の伝送チャンネルとして、現在使用されていない例えばＣＨ３を割り当てる。
なお、ステップＳ５０４の判定で受信レベル＝０となる送信装置Ｘが存在しない場合にも、これと同様に、現在使用されていないチャンネルから選択すれば良い。
【００５５】
上記のように本実施例によれば、新たに任意の送信装置／受信装置間で映像信号の送信を開始するとき、管理装置３は全ての送信装置／受信装置間の受信感度情報と現在の送受信状態を参照して効率的に伝送チャンネルを割り当てる。これより、占有チャンネルを必要とする伝送システムにおいて、使用する伝送チャンネル数を最小限とし互いに干渉せずに映像信号の伝送を行うことができる。また本実施例では、新たに送信を開始する毎に受信感度情報を取得するので、伝送状態が変化してもこれに良く対応し、確実に干渉を避けることができる。
【実施例２】
【００５６】
実施例１では、送信装置と受信装置の接続関係は固定され、例えば送信装置１１は受信装置２１へのみ送信するものとして説明を行った。これに対し実施例２では、使用者が送信装置を移動した場合、最適な受信装置と自動的に接続して送信を行う場合について説明する。
【００５７】
例えば前記図３において、送信装置１１を部屋４１から部屋４２に移動し、部屋４２に設置している受信装置２２に接続を切り替えて送信する場合を想定する。もし送信装置１１を移動して起動するとき受信装置２１が既に起動していれば、送信装置１１の送信信号は受信装置２１まで到達するため、送信装置１１と受信装置２１との接続関係は維持されて受信装置２２で受信することはできない。従来、受信装置２２で受信するためには、使用者が送信装置１１と受信装置２１の接続を切断し、改めて送信装置１１と受信装置２２の接続を指示する必要があり、使い勝手が悪かった。これに対して実施例２では、送信装置を移動した場合、最も受信状況が良好な受信装置に自動的に接続を切り替えるようにする。これより、使用者が送信装置を他の部屋に移動した場合には、移動先の部屋に設置した受信装置で自動的に受信できるので、使い勝手が向上する。
【００５８】
図９は、実施例２に係る接続切り替え工程のフローチャートである。この動作では、送信装置１１を部屋４２へ移動し、その接続先を受信装置２１から受信装置２２へ切り替える場合を例に説明する。実施例１と同一の符号は同一の工程を示している。また、受信装置２３，２４を省略しているが、受信装置２２と同様に動作するものとする。
【００５９】
ステップＳ４０６からステップＳ４１３までの工程は、実施例１（図４）と同様である。ここで送信装置１１は、使用者により他の部屋４２へ移動されている。送信装置１１と受信装置２１間では接続が継続され、映像信号の送信が行われている（Ｓ４０６、Ｓ４０７）。
【００６０】
管理装置３は、送信装置１１からの送信信号に対する各受信装置２１〜２４における受信感度（受信レベル）を取得する（Ｓ４０８、Ｓ４１３）。このうち、ステップＳ４０８で取得した受信装置２１の受信レベルをＹ１、ステップＳ４１３で取得した他の受信装置２２、２３、２４の受信レベルをＹｎとする。また、記憶部３１に記憶している受信装置２１の過去の受信レベル、すなわち送信装置１１が移動する前の受信装置２１の受信レベルをＹ０とする。
【００６１】
ステップＳ９０１において、管理装置３の制御部３３は、受信装置２１の現在の受信レベルＹ１を、他の受信装置の受信レベルＹｎ、受信装置２１の過去の受信レベルＹ０と比較する。
【００６２】
比較の結果、受信装置２１の現在の受信レベルＹ１が他の受信装置の受信レベルＹｎより高い場合（Ｙ１＞Ｙｎ）は、受信装置２１は送信装置１１からの信号を受信すべき範囲内（最良の受信状態）に存在すると判定して、管理装置３の制御を終了する。この場合は送信装置１１と受信装置２１の接続はそのまま維持される。
【００６３】
比較の結果、受信装置２１の現在の受信レベルＹ１が他の受信装置の受信レベルＹｎより低い場合（Ｙ１＜Ｙｎ）、あるいは、受信装置２１の現在の受信レベルＹ１の過去の受信レベルＹ０からの低下量（Ｙ０−Ｙ１）が設定された閾値Ｙｔｈより大きい場合（Ｙ０−Ｙ１＞Ｙｔｈ）は、受信装置２１が送信装置１１からの信号を受信すべき範囲外に存在すると判定し、ステップＳ９０２およびＳ９１０に進む。送信装置１１を部屋４２へ移動した場合は、この判定結果となる。
【００６４】
ステップＳ９０２において、管理装置３は受信装置２１に対し送信装置１１との接続切断要求を送る。ステップＳ９０３において、受信装置２１は切断要求を受けたかどうかを判定する。切断要求を受けている場合は、ステップＳ９０４に進み、送信装置１１に対し接続切断要求を送信する。切断要求を受けていない場合は、受信装置２１は処理を終了し、送信装置１１からの信号受信を継続する。
【００６５】
ステップＳ９０５において、送信装置１１は、接続切断要求を受けているかどうかを判定する。接続切断要求を受けている場合は、ステップＳ９０６に進み、受信装置２１への送信を停止する。接続切断要求を受けていない場合は処理を終了し、送信装置１１への信号送信を継続する。
【００６６】
ステップＳ９０７において、受信装置２１は、その受信状態から送信装置１１の送信が停止したことを確認し、ステップＳ９０８において、管理装置３に対し切断完了通知を送る。続いてステップＳ９０９において、受信装置２１は電源部２１７の電源供給を停止し、信号受信を停止する。これで、受信装置２１と接続切断を完了する。
【００６７】
ステップＳ９１０において、管理装置３は、新たに送信装置１１と接続を行う受信装置を決定する。ここでは、ステップＳ４１３で取得した現在の受信レベルＹｎが最大となる受信装置に決定する。あるいは、各受信装置について現在の受信レベルＹｎを過去の受信レベルと比較し、受信レベルが最も増大した受信装置を選択しても良い。ここでは、新たな接続先として受信装置２２を決定したものとする。ステップＳ９１１において、送信装置１１から受信装置２２への送信に用いる伝送チャンネルを決定する。チャンネル決定方法は、前記図５のステップＳ５０３以降と同様であり、干渉の生じないチャンネルを割り当てる。
【００６８】
ステップＳ９１２において、管理装置３は受信装置２２に対して、接続先である送信装置１１の固有ＩＤと新たな伝送チャンネルを通知して接続を要求する。ステップＳ９１３において、受信装置２２は、管理装置３から接続要求を受けているかどうかを判定する。接続要求を受けている場合は、ステップＳ９１５に進む。接続要求を受けていない場合は、ステップＳ９１４に進み、電源部２１７の電源供給を停止する。
【００６９】
ステップＳ９１５において、受信装置２２は、割り当てられたチャンネルを用いて、送信装置１１に対し接続要求を送信する。ステップＳ９１５は図４におけるステップＳ４０２〜Ｓ４０５に相当し、受信装置２２の接続要求を送信装置１１が承認し、認証用キーの交換により認証処理を行う。
【００７０】
ステップＳ９１６において、送信装置１１は受信装置２２へ信号の送信を開始する。ステップＳ９１７において、受信装置２２は送信装置１１との接続が確立し、受信した映像信号を表示する。
【００７１】
実施例２によれば、接続先となる受信装置を固定せず、使用者が送信装置を移動した場合に接続すべき受信装置を探索する。。すなわち本実施例では、各受信装置の受信感度や過去の受信感度を比較することで、受信状態が最適となる受信装置を決定して自動的に接続する。これにより、使用者が意図しない送信装置と受信装置が接続する頻度を減少させ、使い勝手が向上する。
【００７２】
なお、上記例では使用者が送信装置を移動させた場合を説明したが、使用者が受信装置を移動させた場合においても同様に適用できる。すなわち、受信感度は、送信装置と受信装置の相対的な位置関係（伝送環境）によって決定されるため、複数の送信装置からの受信感度を比較することによって、受信状態が最適となる送信装置を決定して自動的に接続すれば良い。
【符号の説明】
【００７３】
１１、１２、１３、１４…送信装置、
１１１…映像信号源、
１１２…伝送信号処理部、
１１３…変復調選局部、
１１５…制御部、
２１、２２、２３、２４…受信装置、
２１１…映像表示部、
２１２…伝送信号処理部、
２１３…変復調選局部、
２１５…制御部、
２１７…電源部、
３…管理装置、
３１…記憶部、
３２…通信部、
３３…制御部。
【図１】
2014150446.tif 000003
【図２】
2014150446.tif 000004
【図３】
2014150446.tif 000005
【図４】
2014150446.tif 000006
【図５】
2014150446.tif 000007
【図６】
2014150446.tif 000008
【図７】
2014150446.tif 000009
【図８】
2014150446.tif 000010
【図９】
2014150446.tif 000011